(57)【要約】【課題】副光源に複雑で高度な照明効果を付与し、もって照明器具１０、３０の商品価値を高めることを目的とする。【解決手段】電線ワイヤ１７を天井１２に這わせて留め金具１９で固定し、電線ワイヤ１７に設けたＬＥＤチップ１８の列を夜間に点灯すると、単に足元を照らして安全を確保できるだけでなく、天井１２があたかも星空のように照明されるので、照明器具１０としての用途が広がり、その商品価値を高めることができる。【選択図】図１
2019149278.tif 000002
【特許請求の範囲】
【請求項１】
主光源と主光源より暗い副光源を備え、主光源の点灯と副光源の点灯又は両光源の消灯のうちいずれかの照明状態を択一的に選択できる照明器具であって、
前記副光源として、電線ワイヤに複数個のＬＥＤチップを取り付け、電線ワイヤの長手方向に沿ったＬＥＤチップの列を形成したことを特徴とする照明器具。
【請求項２】
天井から垂設するための引掛けシーリングローゼットのプラグ又はダクトレールプラグを備えたことを特徴とする請求項１に記載の照明器具。
【請求項３】
前記ＬＥＤチップの列を形成した電線ワイヤを天井、壁又は照明器具を吊り下げるケーブル、チェーン等に留めるための留め具を備えたことを特徴とする請求項１に記載の照明器具。
【請求項４】
前記ＬＥＤチップの列を形成した電線ワイヤをシェード、カバー又はドーム等の透明又は半透明のケース内に配列したことを特徴とする請求項１に記載の照明器具。
【発明の詳細な説明】
【技術分野】
【０００１】
本発明は照明器具に関し、より詳しくは主光源と主光源より暗い副光源を備え、主光源の点灯と副光源の点灯又は両光源の消灯のうちいずれかの照明状態を択一的に選択できる照明器具に関する。
【背景技術】
【０００２】
蛍光灯、白熱電球、ＬＥＤ電球等から成る主光源と、副光源としてナツメ球を備えた室内用の照明器具が広く実用に供されている。
この種の照明器具は、主光源の点灯と副光源の点灯又は両光源の消灯のうちいずれかの照明状態を択一的に選択できるので、就寝時に副光源を一晩中点灯しておけば、夜間に目が覚めてトイレに立つときなど、足元の安全を確保できる。
【先行技術文献】
【特許文献】
【０００３】
【特許文献１】引用無し
【発明の概要】
【発明が解決しようとする課題】
【０００４】
ところで、副光源として照明器具に備えられているナツメ球は単に足元が確認できる程度に薄暗く室内を照明するという単純な照明効果を奏するにすぎない。
本発明はかかる点に鑑み、副光源に複雑で高度な照明効果を付与し、もって照明器具の商品価値を高めることを目的とする。
【課題を解決するための手段】
【０００５】
本発明は、主光源と主光源より暗い副光源を備え、主光源の点灯と副光源の点灯又は両光源の消灯のうちいずれかの照明状態を択一的に選択できる照明器具であって、
前記副光源として、電線ワイヤに複数個のＬＥＤチップを取り付け、電線ワイヤの長手方向に沿ったＬＥＤチップの列を形成したことを特徴とする。
【０００６】
そして、好ましくは天井から垂設するための引掛けシーリングローゼットのプラグ又はダクトレールプラグを備える。
また、好ましくは前記ＬＥＤチップの列を形成した電線ワイヤを天井、壁又は照明器具を吊り下げるケーブル、チェーン等に留めるための留め具を備える。
また、好ましくは、前記ＬＥＤチップの列を形成した電線ワイヤをシェード、カバー又はドーム等の透明又は半透明のケース内に配列する。
【発明の効果】
【０００７】
本発明におけるＬＥＤチップ列を形成した電線ワイヤは軽いので、天井から垂設した照明器具から引き延ばしてタイラップ、ビニールタイ等の結束バンド、ビス等の留め具で簡単に天井や壁面あるいは照明器具を吊り下げるケーブル、チェーン等に留めて這わせることができる。
しかして、本発明に係る照明器具によれば、天井や壁面に這わせた電線ワイヤに設けたＬＥＤチップの列を夜間に点灯すると、単に足元を照らして安全を確保できるだけでなく、天井にＬＥＤチップの輝点が星空のように現れ、あるいは室内空間に浮かぶように現れるので、幻想的な照明効果を得ることが出来、その商品価値を高めることができる。
【図面の簡単な説明】
【０００８】
【図１】本発明の第１実施例に係る照明器具を示す説明図である。
【図２】本発明の第２実施例に係る照明器具を示す説明図である。
【図３】本発明に係る照明器具に用いられるリモコンを示す説明図である。
【図４】本発明の第３実施例に係る照明器具を示す説明図である。
【図５】本発明の第４実施例に係る照明器具を示す説明図である。
【実施例１】
【０００９】
以下に本発明を図面に基づき説明する。図１には本発明の第１実施例に係る室内用の照明器具１０が示されている。当該照明器具１０はチェーン１１で天井１２から吊り下げられた筒状の器具本体１３を備えている。器具本体１３からはコード１４でソケット１５が吊り下げられ、ソケット１５にＬＥＤ電球１６が装着されている。また、器具本体１３には電線ワイヤ１７が巻き付けられている。電線ワイヤ１７には多数のＬＥＤチップ１８が取り付けられている。ＬＥＤチップ１８は電線ワイヤ１７の長手方向に沿って一定の間隔で取り付けられており、ＬＥＤチップ１８の列を形成している。この電線ワイヤ１７の一端は器具本体１３から天井１２まで延びていて、結束バンド２５でチェーン１１に留め付けるとともに、留め金具１９で天井１２に這うように留め付けられている。
【００１０】
器具本体１３には、商用交流電源を直流電源に変換してＬＥＤ電球１６と電線ワイヤ１７のＬＥＤチップ１８の列に電力を供給するとともに、ＬＥＤ電球１６の点灯とＬＥＤチップ１８の列の点灯又はＬＥＤ電球１６とＬＥＤチップ１８の列の両方の消灯のうち、いずれかの照明状態をプルスイッチ２０の操作で択一的に選択する制御回路２１が内蔵されている。この制御回路２１は、天井１２に設置した引掛けシーリングローゼット２２に着脱される引掛けシーリングプラグ２３にコード２４で連結されている。
【００１１】
本実施例に係る照明器具１０の構成は以上の通りであって、室内を明るく照明する場合は主光源としてＬＥＤ電球１６を点灯する。就寝時はＬＥＤ電球１６を消灯し、副光源としてＬＥＤチップ１８の列を点灯する。照明器具１０を使用しないときは、ＬＥＤ電球１６とＬＥＤチップ１８の列の両方を消灯する。
【００１２】
本実施例に係る照明器具１０によれば、電線ワイヤ１７を天井１２に這わせて留め金具１９で固定し、電線ワイヤ１７に設けたＬＥＤチップ１８の列を夜間に点灯すると、単に足元を照らして安全を確保できるだけでなく、天井１２があたかも星空のように照明されるので、照明器具１０としての用途が広がり、その商品価値を高めることができる。
【００１３】
本実施例の照明器具１０ではＬＥＤチップ１８の列を形成した一本の電線ワイヤ１７を図示したが、ＬＥＤチップ１８の列を形成した複数本の電線ワイヤ１７を制御回路２１に接続し、天井１２に這わせるだけでなく、壁面や柱に這わせることでもできる。
また、ＬＥＤチップ１８の列は一斉に点灯させる他、周期的又は不規則間隔で点滅したり、徐々に暗くなったり、明るくなるフェードイン、フェードアウト効果をもって点灯したり、あるいは瞬間パルス的な点滅、瞬間パルス的な減光、不連続な色変化を伴って点灯するように制御することも可能である。
【実施例２】
【００１４】
本発明の第２実施例に係る照明器具３０を図２に示す。当該照明器具３０は、天井に固設したダクトレール３１に着脱されるプラグ３２からケーブル３３で吊り下げられる器具本体３４と、器具本体３４に内蔵された制御回路３５と、ＬＥＤ電球３６と、ＬＥＤチップ３７の列を形成した電線ワイヤ３８及びプルスイッチ３９を備えている。
【００１５】
器具本体３４は、ボールジョイント構造を有する複数個の連結片４０を連結して構成した屈曲可能なソケット支持部材４１を備え、このソケット支持部材４１の下端部にＬＥＤ電球３６が装着されるソケット４２が取り付けられ、ソケット４２と制御回路３５がソケット支持部材４１の内部に挿通したコード（図示略）で電気的に接続されている。電線ワイヤ３８も一端が制御回路３５に接続され、他端がケーブル３３に巻き付けられ、結束バンド４３でケーブル３３に留め付けられて上方へ延びている。
【００１６】
本実施例に係る照明器具３０によれば、夜間に電線ワイヤ３８のＬＥＤチップ３７の列を点灯すると、室内空間に多数の輝点が浮かぶように現れ、室内が幻想的に照明できる。
【００１７】
上記第１及び第２実施例では、主光源となるＬＥＤ電球１６，３６と副光源となる電線ワイヤ１７，３８のＬＥＤチップ１８，３７の列の点灯の切り替えをプルスイッチ２０，３９で行っているが、図３に示すリモコンスイッチ５０で切り替えを行うように制御回路２１，３５に機能を付与することもできる。このリモコンスイッチ５０のプッシュボタン５１に設けた表示画面５２には主光源を示すＬＥＤ電球の図形５３と、副光源を示す星の図形５４及び消灯を示す◎の図形５５が表示されている。プッシュボタン５１の押圧操作に伴い、いずれかの図形５３，５４，５５がバックライトで照らされ照明器具１０，３０の照明状態が表示される。
【実施例３】
【００１８】
本発明の第３実施例に係る照明器具６０を図４に示す。当該照明器具６０は、天井１２に設置した引掛けシーリングローゼット２２に着脱される引掛けシーリングプラグ２３にコード２４で連結された制御回路２１と、円形のシェード６１を備えている。このシェード６１の内部にはＬＥＤチップ６２の列を形成した電線ワイヤ６３が副光源として不規則に配列されている。
【００１９】
シェード６１の底部からボールジョイント構造を有する複数個の連結片６４を連結して構成した屈曲可能なソケット支持部材６５が垂設され、ソケット支持部材６５の下端部にＬＥＤ電球６６が装着されるソケット６７が取り付けられ、制御回路２１がソケット支持部材６５の内部に挿通したコード（図示略）で電気的に接続されている。また、シェード６１の底部からプルスイッチ６８が垂設されている。
【実施例４】
【００２０】
本発明の第４実施例に係る照明器具７０を図５に示す。当該照明器具７０は、天井１２に設置した引掛けシーリングローゼット２２に着脱される引掛けシーリングプラグ２３にコード２４で連結された制御回路２１と、筒状の器具本体７１を備えている。
【００２１】
器具本体７１の上部にはソケット７２が設けられ、ソケット７２に副光源として透明ガラス製のドーム７３内にＬＥＤチップ７４の列を形成した電線ワイヤ７５が不規則に配列されている。器具本体７１の底部にもソケット７６が設けられ、ソケット７６にＬＥＤ電球７７が装着されている。また、器具本体７１の底部からプルスイッチ７８が垂設されている。
【符号の説明】
【００２２】
１０…照明器具
１１…チェーン
１２…天井
１３…器具本体
１６…ＬＥＤ電球
１７…電線ワイヤ
１８…ＬＥＤチップ
１９…留め金具
２１…制御回路
２２…引掛けシーリングローゼット
２３…プラグ
２５…結束バンド
３０…照明器具
３１…ダクトレール
３２…プラグ
３３…ケーブル
３４…器具本体
３５…制御回路
３６…ＬＥＤ電球
３７…ＬＥＤチップ
３８…電線ワイヤ
４３…結束バンド
６０…照明器具
６１…シェード
６２…ＬＥＤチップ
６３…電線ワイヤ
６６…ＬＥＤ電球
７０…照明器具
７３…ドーム
７４…ＬＥＤチップ
７５…電線ワイヤ
７７…ＬＥＤ電球
【図１】
2019149278.tif 000003
【図２】
2019149278.tif 000004
【図３】
2019149278.tif 000005
【図４】
2019149278.tif 000006
【図５】
2019149278.tif 000007